(57)【要約】【課題】天井面又は壁面等の設置面より室内に突出させずに発泡機の設置ができる高膨張泡消火設備を得る。【解決手段】天井面又は壁面等の設置面に近接して設けられ、発泡網３、放射ノズル４及び本体２を有する発泡機５を備えた高膨張泡消火設備１−１において、該設置面に開口部７を設け、該設置面の裏側の位置であって、該開口部７に面する位置に該発泡機５を設け、火災時に、該発泡機５を自重によって該開口部７を通して該設置面の表側へ移動させる移動機構８を設ける。【選択図】図１
2010042205.tif 000002
【特許請求の範囲】
【請求項１】
天井面又は壁面等の設置面に近接して設けられ、発泡網、放射ノズル及び本体を有する発泡機を備えた高膨張泡消火設備において、
該設置面に開口部を設け、該設置面の裏側の位置であって、該開口部に面する位置に該発泡機を設け、火災時に、該発泡機を自重によって該開口部を通して該設置面の表側へ移動させる移動機構を設けたことを特徴とする高膨張泡消火設備。
【請求項２】
該開口部を覆う蓋部材であって、火災時に開く蓋部材を設けたことを特徴とする請求項１に記載の高膨張泡消火設備。
【請求項３】
該移動機構は、該発泡機の該設置面表側への移動を所定の位置で止めるストッパを有することを特徴とする請求項１又は２に記載の高膨張泡消火設備。
【請求項４】
該移動機構が該発泡機を回動させる回動機構であることを特徴とする請求項１乃至３の何れかに記載の高膨張泡消火設備。
【請求項５】
該発泡機が移動するときに、該ノズルが通るスリットを該発泡機本体に設けたことを特徴とする請求項１乃至４の何れかに記載の高膨張泡消火設備。
【請求項６】
該移動機構が該発泡機を上下方向又は斜め方向にスライドさせるスライド機構であることを特徴とする請求項１乃至３の何れかに記載の高膨張泡消火設備。
【請求項７】
該スライド機構が該発泡網のみをスライドさせるものであることを特徴とする請求項６に記載の高膨張泡消火設備。
【発明の詳細な説明】
【技術分野】
【０００１】
この発明は、例えば、石油タンクのピット、石油コンビナートのカルバート、或いは、船室、船倉、駐車場、各種危険物施設などで、消火剤を泡状に放出し、消火作業を行う高膨張泡消火設備に関するものである。
【背景技術】
【０００２】
高膨張泡消火設備は、一般に、筒状に形成された発泡機本体と、発泡機本体の先端側に設けられた発泡網と、発泡機本体内部の後端側に設けられ、発泡網に向かって泡水溶液を放出する放射ノズルとから構成されている。そして、放射ノズルから泡水溶液を放出し、放出された泡水溶液を発泡網に当てることにより発泡させ、火源を泡で埋め尽くし、窒息消火させる設備である。なお、高膨張泡消火設備における発泡倍率は、一般に５００倍以上である。
【０００３】
高膨張泡消火設備においては、必要な発泡倍率を得るのに、空気をたくさん吸引する必要がある。そのため、発泡網と放射ノズルとの間に十分な間隔が設けられており、それに相応して発泡機本体の長さを長くする必要があることから、発泡機本体は一般に長いものとなっている。
【０００４】
また、高膨張泡消火設備において、発泡倍率を高めるには、泡水溶液が発泡網に接触する面積を大きくすることが考えられるが、従来例として、接触面積を大きくするのに、発泡網を平らなものではなく、円錐状にするか、又は発泡機本体の先端側中央で山形に突出するように折り曲げた形状にしたものがある（例えば、特許文献１参照）。
【特許文献１】実開昭５８−１０７６２号公報
【発明の開示】
【発明が解決しようとする課題】
【０００５】
高膨張泡消火設備においては、必要な発泡倍率を得るために、ある程度の吸引長さ、即ち発泡機本体が長いものである必要がある。特に大型の発泡機の場合、ノズル先端から発泡ネット先端までの長さとして１〜２ｍは必要なので、天井又は壁などに設けた場合に、天井面又は壁面より室内に大きく突出するため、室内の美観を損なうという問題がある。
【０００６】
この発明は、前記の事情に鑑み、天井面又は壁面等の設置面より室内側に発泡機を突出させずにその設置ができる高膨張泡消火設備を得ることを目的とする。
【課題を解決するための手段】
【０００７】
この発明は、天井面又は壁面等の設置面に近接して設けられ、発泡網、放射ノズル及び本体を有する発泡機を備えた高膨張泡消火設備において、該設置面に開口部を設け、該設置面の裏側の位置であって、該開口部に面する位置に該発泡機を設け、火災時に、該発泡機を自重によって該開口部を通して該設置面の表側へ移動させる移動機構を設けたことを特徴とする高膨張泡消火設備である。
【０００８】
また、この発明は、該高膨張泡消火設備であって、該開口部を覆う蓋部材であって、火災時に開く蓋部材を設けたことを特徴とする高膨張泡消火設備である。なお、該蓋部材は開動作することで開くものとすることができ、該開動作を火災信号の受信によって動作するものとすることができる。
【０００９】
また、この発明は、該高膨張泡消火設備であって、該移動機構は、該発泡機の該設置面表側への移動を所定の位置で止めるストッパを有することを特徴とする高膨張泡消火設備である。
【００１０】
また、この発明は、該高膨張泡消火設備であって、該移動機構が該発泡機を回動させる回動機構であることを特徴とする高膨張泡消火設備である。なお、該回動機構は、発泡機本体を回動させるものとすることができ、該発泡機本体の長さ方向に直交する方向に延在する回動軸を含むものとすることができ、該回動軸を該発泡機本体の長さ方向中心位置より後端側の位置に有するものとすることができる。
【００１１】
また、この発明は、該高膨張泡消火設備であって、該発泡機が移動するときに、該ノズルが通るスリットを該発泡機本体に設けたことを特徴とする高膨張泡消火設備である。
【００１２】
また、この発明は、該高膨張泡消火設備であって、該移動機構が該発泡機の少なくとも該発泡網を上下方向又は斜め方向にスライドさせるスライド機構であることを特徴とする高膨張泡消火設備である。
【００１３】
また、この発明は、該高膨張泡消火設備であって、該スライド機構が該発泡網のみをスライドさせるものであることを特徴とする高膨張泡消火設備である。
【発明の効果】
【００１４】
この発明によれば、発泡機を設置面の裏側に設けることができ、また発泡機を移動機構により開口部を通して設置面裏側から表側、即ち室内側へ移動させることができる。従って、平常時には、発泡機を設置面の裏側に位置させて、設置面から室内側へ突出しない状態にしておき、火災時には、発泡機を室内側へ移動させて、室内の防護領域に向けて泡を放出可能な状態にすることができる。
【００１５】
即ち、この発明によれば、防護領域への泡放出の機能は確保しつつも、天井面又は壁面等の設置面より室内側に発泡機を突出させずにその設置ができる高膨張泡消火設備を得ることができる。
【発明を実施するための最良の形態】
【００１６】
この発明の実施の形態を図１乃至１１に基づき説明する。尚、図１はこの発明の第１の実施の形態を示し、発泡機が天井面の裏側に位置している状態における発泡機の斜視図、図２は同上を示し、発泡機が天井面の裏側から開口部を通して天井の表側に移動した状態における斜視図、図３は同上を示し、図２の状態における別視点の斜視図、図４は同上を示し、図１の状態における側面図、図５は同上を示し、図２の状態における側面図、図６は同上を示すものであるが、他の例の回動機構を含む図４に相当する図、図７は同上を示すものであるが、他の例の回動機構を含む図５に相当する図、図８はこの発明の第２の実施の形態を示し、発泡機が壁面の裏側に位置している状態における側面図、図９は同上を示し、発泡機が壁面の裏側から開口部を通して壁面の表側に移動した状態における側面図であり、図１０はこの発明の第３の実施の形態を示し、図１の状態に相当する状態における側面図、図１１は同上を示し、図２の状態に相当する状態における側面図である。
【００１７】
先ず、図１乃至７に基づき、この発明の第１の実施の形態の高膨張泡消火設備１−１について説明する。
【００１８】
高膨張泡消火設備１−１は、発泡機本体２と、該発泡機本体２の先端側に山形に突出して設けられた発泡網３と、該発泡機本体２の後端側に設けられた放射ノズル４等を有する発泡機５を備えている。なお、発泡網３は発泡機本体２より上下２段に突出する形状を有するものとなっており、それに対応して放射ノズル４も上下二段に放出口４ｂを有するものとなっている。
【００１９】
発泡機５は天井Ｔの裏面Ｔ１側に横方向に設けられている。天井裏面Ｔ１側には図示しない泡水溶液供給源に接続された給水本管６が設けられており、この給水本管６に発泡機５の放射ノズル４はその略Ｌ字状の配管部分４ａを介して接続されている。
【００２０】
天井Ｔには長方形状の開口部７が形成されており、発泡機５は天井裏面Ｔ１側の位置であって、且つ開口部７に面する位置に設けられている。この開口部７を通して、発泡機５は移動機構の一例であり、後記において説明する回動機構８によって天上裏面Ｔ１側から表面Ｔ２側へ自重により移動できるものとなっている。
【００２１】
発泡機５には、発泡機５の移動機構として、発泡機本体２の長さ方向に直交する方向、即ち発泡機本体２の幅方向に延在すると共に発泡機本体２の底板２ｂに一体に固定され、両端が開口部７の天井裏面Ｔ１側の周縁部７ａに軸支された回動軸８Ａを有する回動機構部８が設けられている。この回動機構部８により、発泡機５は回動機構部８の回動軸８Ａ廻りに、即ち発泡機５の幅方向に沿う軸廻りに先端側を前傾させて回動できるようになっている。つまり、開口部７を通して、天井裏面Ｔ１側から天井表面Ｔ２側へ移動し、発泡網３を開口部７より天井表面Ｔ２側に露出させて、室内の防護領域に向けられるようになっている。なお、回動機構部８において、回動軸８Ａは発泡機５の長さ方向においてその中心よりも後端側に位置して設けられており、発泡機５がその自重により天井表面Ｔ２側に前傾回動できるようになっている。
【００２２】
前記のように、高膨張泡消火設備１−１は、発泡機５を天井裏面Ｔ１側に設けることができるようになっており、また発泡機５を開口部７を通して天井裏面Ｔ１側から表面Ｔ２側、即ち室内側へ回動により移動させて、発泡網３を室内の防護領域に向けられるようになっている。
【００２３】
従って、この発明の高膨張泡消火設備１−１によれば、平常時には、発泡機５を天井裏面Ｔ１側に位置させて、天井Ｔから室内側へ突出しない状態にしておき、火災時には、発泡機５を室内側へ回動により移動させて、室内の防護領域に向けて泡を放出可能な状態にすることができる。
【００２４】
即ち、この発明の高膨張泡消火設備１−１によれば、発泡機５の防護領域への泡放出の機能は確保しつつも、発泡機５を設置面より室内側には突出させずにその設置をすることができる。
【００２５】
さらに詳細に、高膨張泡消火設備１−１について説明する。
【００２６】
天井Ｔには開口部７を覆う蓋部材１０が設けられている。この蓋部材１０があることで、天井Ｔに開口部７があっても、蓋部材１０によりそれを覆うことができるので、室内の美観が損なわれることはない。なお、本実施の形態において、蓋部材１０は開口部７を閉じている状態において、発泡機５の回動移動を止め、天井裏面Ｔ１側への収納状態を維持するストッパを兼ねたものとなっている。
【００２７】
蓋部材１０は開閉機構１０ａを有しており、開閉可能なものとなっている。開閉機構１０ａは蓋部材１０を発泡機５の回転機構部８の回動軸８Ａと同一方向に延在する回動軸を有し、発泡機５と同一方向に蓋部材を回動させるものとなっており、天井Ｔから室内側への回動は発泡機５と同様に自重により蓋部材１０を回動させるものとなっている。蓋部材１０の室内側への回動に対するストッパ等は設けられていないので、蓋部材１０は室内側へ回動しきると、天井Ｔより室内側に垂下した状態で自重により停止することとなる（図５参照）。なお、蓋部材１０は、本実施の形態のような開閉機構１０ａによって開口部７を開くものに代えて、破壊されることによって開口部７を開くものとしてもよく、例えば、蓋部材１０を脆い材質のものとし、天井表面Ｔ２側への回動動作する発泡機５によって破られることで開口部７を開くものとしてもよい。また、開閉機構１０ａと回動軸８Ａは一体としてもよい。
【００２８】
１１は蓋部材１０のロック部材であり、ラッチ機構等のロック／アンロック機構を有し、これにより蓋部材１０の閉状態の保持と開放ができるようになっている。このロック部材１１は、火災時に自動的に開放動作をするものとすることができ、例えば、図示しない火災感知器からの火災感知信号や、火災による熱によって、所定の温度、例えば６０℃で作動する感熱体を用いて、開放動作をするものとすることができる。
【００２９】
回動機構部８は、発泡機本体２の側板２ｃより側方に突出して設けられた平板状のストッパ９をさらに有している。このストッパ９は発泡機５の天井表面Ｔ２側への回動を所定の角度位置で止めるためのものであり、ストッパ９と天井裏面Ｔ１とのなす角θ１（図４参照）の角度によって、当該回動を止める角度が規定されることとなる。なお、ストッパ９を本実施の形態では平板状の部材としているが、発泡機５が天井表面Ｔ２側へ回動した際に天井裏面Ｔ１に当接して回動に対するストッパとしての機能を果たす部材であれば、例えば発泡機本体２の側板２ｃより側方に突出する棒状部材等としてもよい。
【００３０】
発泡機５は前記の様に、ストッパ９によって天井表面Ｔ２側への回動を所定の角度位置で止められるようになっているが、その回動が止められる角度は、開口部７を開き、天井Ｔより垂下した状態で停止している蓋部材１０が発泡機５の発泡網３からの泡の放出の邪魔にならないように、蓋部材１０より内側の位置に傾いた状態で回動を止める角度となっており、即ち当該角度を規定する角θ１は９０度よりも小さい角度、本実施の形態においては略４５度となっている。
【００３１】
放射ノズル４はその配管部４ａを介して給水本管６に接続され、発泡機本体２の天板２ａの近傍に固定して設けられており、放射ノズル４は発泡機５と共に動くものではないので、発泡機５の回動軌跡中に位置していれば、発泡機５の回動の邪魔になるものではあるが、天板２ａには発泡機５が回動するときに放射ノズル４（本実施の形態においてはその配管部４ａ）が通るスリット２ｄが形成されている。これにより、発泡機５は、その回動軌跡中に放射ノズル４が位置していたとしても、放射ノズル４の邪魔を受けることなく、回動できるようになっている。なお、放射ノズル４は、その先端放出口部４ｂが、発泡機５が天井表面Ｔ２側へ回動し、ストッパ９により止められている状態において、発泡網３に向かう向きで固定して設けられている。
【００３２】
本実施の形態においては、放射ノズル４を固定のものとしたが、発泡機５と共に動くものとしてもよく、図示は省略するが、放射ノズル４の配管部４ａを可動管、例えば樹脂製のフレキシブル管により構成し、放射ノズル４の先端放出口部４ｂが発泡網３に向いた状態で支持する支持部、例えば格子状の支持フレームを発泡機本体２内に設け、放射ノズル４の先端放出口部４ｂは支持部により発泡網３に向いた状態に保持しつつ、放射ノズル４全体としては、可動管部により発泡機５と共に動くものとしてもよい。
【００３３】
なお、本実施の形態においては、発泡機５の回動機構部８を回転軸８Ａとストッパ部９を有するものとしているが、発泡機５の回動をガイドするものをさらに有するものとしてもよく、例えば、図６及び７に示すように、発泡機本体２の側板２ｃの後端側に円弧状に形成されたガイド溝２ｅと、そのガイド溝２ｅに沿って、発泡機本体２の側板２ｃの側方に天井裏面Ｔ１より円弧状に起立して設けられた誘導レール１２をさらに有するものとしてもよい。また、このガイド溝２ｅ及び誘導レール１２を、発泡機５の回動をガイドするだけでなく、発泡機５の天井表面Ｔ２側への回動を所定の角度で止めるストッパを兼ねるものとすれば、ストッパ９に代わるものとすることもできる。
【００３４】
次に、図８及び９に基づき、この発明の第２の実施の形態の高膨張泡消火設備１−２について説明する。
【００３５】
第２の実施の形態の高膨張泡消火設備１−２は、第１の実施の形態と同様に発泡機５の移動機構として回動機構８を有するものであるが、天井面設置型の第１の実施の形態とは異なり、壁面設置型としたものである。
【００３６】
図８に示すように、発泡機５は壁Ｗの裏面Ｗ１側の位置であって、壁Ｗに形成された開口部７の裏側の位置に縦方向に発泡網３を下方に向けて設けられており、図９に示すように、開口部７を通って、発泡機５は壁裏面Ｗ１側から表面Ｗ２側へ回動して移動できるものとなっている。
【００３７】
発泡機５には、発泡機５の回動機構として、第１の実施の形態と同様に回動機構８が設けられている。回動機構８は、第１の実施の形態においても同様であるが、発泡機５の回動軸８Ａが設けられる位置とは対角側、即ち発泡機本体２の天板２ａの先端側の重心位置２Ｇを回動軸８Ａの真下に位置させようとする力を利用して、発泡機５を回動させるものとなっている。ただし、壁面設置型の本実施の形態においては、発泡機５の揺動の振れ幅を大きくとるために、回動軸８Ａが設けらる位置を発泡機本体２の底板２ｂの後端位置としている。
【００３８】
開口部７には上下動可能なシャッタ１３が設けられており、このシャッタ１３は開口部７を開閉するものであるが、発泡機５の回動を止め、壁裏面Ｗ１側への収納状態を維持するストッパを兼ねたものとなっている。即ち、図８に示すように、シャッタ１３が上方に位置し、開口部７を閉じているとき（本実施の形態においては開口部７の全てまでは閉じておらず、残りを発泡機本体２の底板２ｂで閉じるようになっている。）、シャッタ１３は発泡機５の回動軌跡上に位置し、発泡機５の壁表面Ｗ２側への回動移動を止められるものとなっている。そして、シャッタ１３が下方に移動し、開口部７を開くと共に、発泡機５の回動軌跡上から外れると、図９に示すように、発泡機５は壁裏面Ｗ１側から壁表面Ｗ２側、即ち室内側へ回動移動することとなる。なお、ワイヤなどを用いて、シャッタ１３と発泡機５の一部、例えば重心２Ｇと接続し、シャッタ１３が下方へ移動する際に、発泡機５の回動を促すようにしてもよい。
【００３９】
回動機構８は、第１の実施の形態のストッパ９と同様に、発泡機本体２の側板２ｃ上に、発泡機５が壁表面Ｗ２側へ回動移動した際に、所定の角度で発泡機の回動を止める板状のストッパ１４を有しているが、壁面設置型の本実施の形態においては、ストッパ１４は、起倒自在に構成され、壁表面Ｗ２側へ倒れることで発泡機５を回動させ、壁裏面Ｗ１側へは倒れないことで発泡機５の回動を止めることができるワンウェイ型のストッパとしてもよい。
【００４０】
発泡機５は壁表面Ｗ２側へ回動する際、回動機構部８の回転軸８Ａの位置設定により揺動の振れ幅が大きくなるようにされているので、一旦壁表面Ｗ２側へ大きく揺動してから、壁裏面Ｗ１側へ戻ろうとするが、その動きはワンウェイ型のストッパ１４が壁表面Ｗ２型の開口部７の周縁部７ｂに当接することで所定の角度位置で止められることとなり、ストッパ１４によって規定される回動を止める角度を、図９に示すように、発泡機５の重心位置２Ｇが回動軸８Ａの真下より壁表面Ｗ２側に位置する角度に設定されていることで、発泡機５の回動の停止状態が保持されるようになっている。
【００４１】
本実施の形態の高膨張泡消火設備１−２は壁面設置型のものであるが、平常時には、発泡機５を壁裏面Ｗ１側に位置させて、壁Ｗから室内側へ突出しない状態にしておき、火災時には、発泡機５を室内側へ回動により移動させて、室内の防護領域に向けて泡を放出可能な状態にすることができる。
【００４２】
即ち、本実施の形態の高膨張泡消火設備１−２においても、発泡機５の防護領域への泡放出の機能は確保しつつも、発泡機５を設置面より室内側には突出させずにその設置をすることができる。
【００４３】
最後に、図１０及び１１に基づき、この発明の第３の実施の形態の高膨張泡消火設備１−３について説明する。
【００４４】
第３の実施の形態の高膨張泡消火設備１−３は、第１の実施の形態と同様に天井面設置型のものであるが、回動機構８を有する第１の実施の形態とは異なり、発泡機５の移動機構をスライド機構としたものである。
【００４５】
即ち、図１０に示すように、本実施の形態の高膨張泡消火設備１−３において、発泡機５は天井Ｔの裏面Ｔ１側の位置であって、天井Ｔに形成された開口部７に面する位置に、縦方向に発泡網３を下方に向けて設けられており、図１１に示すように、発泡機５の発泡網３が、開口部７を通って、天井裏面Ｔ１側から表Ｔ２側へ自重によりスライドして移動できるものとなっている。
【００４６】
具体的には、発泡機本体２は天井Ｔ１に略Ｌ字の固定具等により固定して設けられており、発泡機本体２内を発泡網３が上下に摺動可能に設けられることで、発泡網３の上下方向へのスライド機構が構成されている。なお、本実施の形態においては、発泡機５のスライド機構を発泡網３のみをスライドさせるものとしたが、発泡網３と共に発泡機本体２もスライドさせるものとしてもよい。
【００４７】
第１の実施の形態と同様に、開口部７は蓋部材１０で開閉可能であり、また、蓋部材１０は開口部を閉じている状態において、発泡網３が下方向へのスライド移動を止め、発泡網３の天井裏面Ｔ１側への収納状態を維持するストッパを兼ねたものとなっている。
【００４８】
さらに、詳細な図示は省略するが、発泡網３の外側部には突状部が設けられており、又発泡機本体２の先端内側部にも突状部が設けられており、両突状部は、発泡網３が下方向にスライド移動する際に、発泡網３側の突状部が発泡機本体２側の突状部に当接することで、所定位置でスライド移動を止めるストッパを構成している。また、発泡機本体２内部にレールを設け、発泡網３に設けられた突状部の一部がレールに沿って動くことで、発泡網３が下方向にスライドするのを誘導するとともに、ストッパの役割を果たすものとしてもよい。
【００４９】
なお、発泡機５のスライド機構については、発泡機５を又はその発泡網３のみを斜め方向にスライド移動させるものとしてもよく、本実施の形態を壁面設置型の高膨張泡消火設備に適用してもよい。
【００５０】
本実施の形態の高膨張泡消火設備１−３は発泡機５のスライド移動させるものであるが、第１の実施の形態と同様、平常時には、発泡機５を天井裏面Ｔ１側に位置させて、天井Ｔから室内側へ突出しない状態にしておき、火災時には、発泡機５を天井裏面Ｔ１側から天井表面Ｔ２型、即ち室内側へスライドして移動させて、室内の防護領域に向けて泡を放出可能な状態にすることができる。
【００５１】
即ち、本実施の形態の高膨張泡消火設備１−３においても、発泡機５の防護領域への泡放出の機能は確保しつつも、発泡機５を設置面より室内側には突出させずにその設置をすることができる。
【図面の簡単な説明】
【００５２】
【図１】この発明の第１の実施の形態を示し、発泡機が天井の裏側に位置している状態における斜視図である。
【図２】同上を示し、発泡機が天井裏から開口部を通して天井の表側に回動した状態における状態における斜視図である。
【図３】同上を示し、図２の状態における別視点の斜視図である。
【図４】同上を示し、図１の状態における側面図である。
【図５】同上を示し、図２の状態における側面図である。
【図６】同上を示すものであるが、他の例の回動機構を含む場合の図４に相当する図である。
【図７】同上を示すものであるが、他の例の回動機構を含む場合の図５に相当する図である。
【図８】この発明の第２のの実施の形態を示し、発泡機が壁面の裏側に位置している状態における側面図である。
【図９】同上を示し、発泡機が壁面の裏側から開口部を通して壁面の表側に移動した状態における側面図である。
【図１０】この発明の第３の実施の形態を示し、図１の状態に相当する状態における側面図である。
【図１１】同上を示し、図２の状態に相当する状態における側面図である。
【符号の説明】
【００５３】
１    高膨張泡消火設備
２    発泡機本体
２ａ  天板
２ｂ  底板
２ｃ  側板
２ｄ  スリット
３    発泡網
４    放射ノズル
４ａ  配管部
４ｂ  先端放出口部
５    発泡機
６    給水本管
７    開口部
８    回動機構部
８Ａ  回動軸
９    ストッパ
１０  蓋部材
１１  ロック部材
Ｔ    天井
Ｔ１  天井裏面
Ｔ２  天井表面
【図１】
2010042205.tif 000003
【図２】
2010042205.tif 000004
【図３】
2010042205.tif 000005
【図４】
2010042205.tif 000006
【図５】
2010042205.tif 000007
【図６】
2010042205.tif 000008
【図７】
2010042205.tif 000009
【図８】
2010042205.tif 000010
【図９】
2010042205.tif 000011
【図１０】
2010042205.tif 000012
【図１１】
2010042205.tif 000013